(57)【要約】      （修正有）【課題】連結を解除するための回し動きが引っ掛かり無く行える装身具用連結部品及び装身具を提供する【解決手段】第１の下り傾斜円弧凹部７の下り傾斜角度と第１の上り傾斜円弧凸部８の上り傾斜角度が略同傾斜角度であり、第２の下り傾斜円弧凹部２２の下り傾斜角度と第２の上り傾斜円弧凸部２３の上り傾斜角度が略同傾斜角度であり、第１の下り傾斜円弧凹部７の略中央と第１の上り傾斜円弧凸部８の略中央とは、円周１０上に位置しており、第２の下り傾斜円弧凹部２２の略中央と前記第２の上り傾斜円弧凸部２３の略中央とは、円周１０と同径で中心１４を円周１０の中心１３と同じ位置とする円周１１上に位置している。【選択図】図３
2020195570.tif 000002
【特許請求の範囲】
【請求項１】
磁石の磁力による接合連結状態である磁力連結状態で連結される第１の連結部品（１）と第２の連結部品（２）とからなる連結部品（３）であって、
前記第１の連結部品（１）は、
第１の連結部品本体（４）と、
前記第１の連結部品本体（４）の内側に設けられた第１の磁石設け部（５）と、
前記第１の磁石設け部（５）にＮ極を表側にして設けられた第１の磁石（６）と、
前記第１の磁石設け部（５）の外側に設けられた、円弧凹形態でかつ底部面が下り傾斜形態の第１の下り傾斜円弧凹部（７）と、
前記第１の磁石設け部（５）の外側で前記第１の下り傾斜円弧凹部（７）の対向側に設けられた、円弧凸形態でかつ上部面が上り傾斜形態である第１の上り傾斜円弧凸部（８）と、を備え、
前記第２の連結部品（２）は、
第２の連結部品本体（１９）と、
前記第２の連結部品（２）本体の内側に設けられた第２の磁石設け部（２０）と、
前記第２の磁石設け部（２０）にＳ極を表側にして設けられた第２の磁石（２１）と、
前記第２の磁石設け部（２０）の外側に設けられた、円弧凹形態でかつ底部面が下り傾斜形態の第２の下り傾斜円弧凹部（２２）と、
前記第２の磁石設け部（２０）の外側で前記第２の下り傾斜円弧凹部（２２）の対向側に設けられた、円弧凸形態でかつ上部面が上り傾斜形態である第２の上り傾斜円弧凸部（２３）と、を備え、
前記第１の連結部品（１）と前記第２の連結部品（２）の磁力連結状態は、前記第１の磁石（６）と前記第２の磁石（２１）の磁力連結によってなされ、
前記磁力連結状態では、前記第１の上り傾斜円弧凸部（８）は前記第２の下り傾斜円弧凹部（２２）に嵌り形態となり、前記第２の上り傾斜円弧凸部（２３）は前記第１の下り傾斜円弧凹部（７）に嵌り形態となり、
前記磁力連結状態で、前記第１の連結部品（１）と前記第２の連結部品（２）のそれぞれを反対方向に回し動かすと又はいずれか一方を回し動かすと、前記第１の上り傾斜円弧凸部（８）の上り傾斜面が前記第２の下り傾斜円弧凹部（２２）の下り傾斜面を登り移動し、且つ、前記第２の上り傾斜円弧凸部（２３）の上り傾斜面が前記第１の下り傾斜円弧凹部（７）の下り傾斜面を登り移動して、前記第１の磁石（６）と前記第２の磁石（２１）が離れ移動して前記磁力連結が解除され、前記磁力連結の解除によって前記第１の連結部品（１）と前記第２の連結部品（２）が分離できる、
以上のように構成された装身具用連結部品。
【請求項２】
前記第１の下り傾斜円弧凹部（７）の下り傾斜面と前記第１の上り傾斜円弧凸部（８）の上り傾斜面の連絡形態は水平面、段差、凹部、凸部などの無い連絡形態であり、
前記第２の下り傾斜円弧凹部（２２）の下り傾斜面と前記第２の上り傾斜円弧凸部（２３）の上り傾斜面の連絡形態は水平面、段差、凹部、凸部などの無い連絡形態である請求項１記載の装身具用連結部品。
【請求項３】
前記磁力連結状態の前記第１の連結部品（１）と前記第２の連結部品（２）を回し動きさせた場合に、前記第２の下り傾斜円弧凹部（２２）と前記第１の上り傾斜円弧凸部（８）との間で引っ掛かりが生じないように、それぞれの角が湾曲角形態とされ、かつ、前記第１の上り傾斜円弧凸部（８）の内側壁面の一部ないし略全部が略垂直の垂直壁面部位（２６）とされ、前記第２の下り傾斜円弧凹部（２２）の内側壁面の一部ないし略全部が略垂直の垂直壁面部位（２７）とされ、又は、前記磁力連結状態の前記第１の連結部品（１）と前記第２の連結部品（２）を回し動きさせた場合に、前記第１の下り傾斜円弧凹部（７）と前記第２の上り傾斜円弧凸部（２３）との間で引っ掛かりが生じないように、それぞれの角が湾曲角形態とされ、かつ、前記第２の上り傾斜円弧凸部（２３）の内側壁面の一部ないし略全部が略垂直の垂直壁面部位（３４）とされ、前記第１の下り傾斜円弧凹部（７）の内側壁面の一部ないし略全部が略垂直の垂直壁面部位（３５）とされ、
前記左右方向引き離し力（２５）、（２５）に対して、前記垂直壁面部位（２６）と前記垂直壁面部位（２７）が当たり引っ掛かって抗する形態であり、又は、前記垂直壁面部位（３４）と前記垂直壁面部位（３５）が当たり引っ掛かって抗する形態であり、
以上のように構成された請求項１又は２記載の装身具用連結部品。
【請求項４】
前記第１の連結部品本体（４）にネックレス、ブレスレットなどの装身具本体（４０）の一方側を取り付ける第１の取付け部（３１）が設けられ、前記第２の連結部品本体（１９）に前記装身具本体（４０）の他方側を取り付ける第２の取付け部（３２）が設けられ、前記第１の取付け部（３１）と前記第２の取付け部（３２）の長さが、前記第１の連結部品本体（４）及び前記第２の連結部品（２）本体の最大幅の２／３よりも長い形態である請求項１、２又は３記載の装身具用連結部品。
【請求項５】
前記第１の連結部品（１）と前記第２の連結部品（２）は、前記第１の磁石（６）及び前記第２の磁石（２１）も含めて、同一寸法の同一形態の同一部品である請求項１〜４又は５記載の装身具用連結部品。
【請求項６】
前記第１の下り傾斜円弧凹部（７）の下り傾斜角度が５度〜６０度であり、
前記第１の上り傾斜円弧凸部（８）の上り傾斜角度が５度〜６０度であり、
前記第１の下り傾斜円弧凹部（７）の前記下り傾斜角度と前記第１の上り傾斜円弧凸部（８）の前記上り傾斜角度の角度差が２０度以下であり、
前記第２の下り傾斜円弧凹部（２２）の下り傾斜角度が５度〜６０度であり、
前記第２の上り傾斜円弧凸部（２３）の上り傾斜角度が５度〜６０度であり、
前記第２の下り傾斜円弧凹部（２２）の前記下り傾斜角度と前記第２の上り傾斜円弧凸部（２３）の前記上り傾斜角度の角度差が２０度以下である、
以上のように構成された請求項１〜４又は５記載の装身具用連結部品。
【請求項７】
前記第２の下り傾斜円弧凹部（２２）の前記下り傾斜角度と前記第２の上り傾斜円弧凸部（２３）の前記上り傾斜角度の角度差が５度以下である、
以上のように構成された請求項１〜４又は５記載の装身具用連結部品。
【請求項８】
前記第１の磁石（６）、前記第２の磁石（２１）のいずれか一方が磁石ではない鉄製部材などの磁石につく性質の部材である強磁性部材であることを特徴とする請求項１〜６又は７記載の装身具用連結部品。
【請求項９】
ネックレス、ブレスレットなどの連結式装身具の装身具本体（４０）に前記請求項１〜７又は８記載の装身具用連結部品を設けてなる連結式装身具。
【発明の詳細な説明】
【技術分野】
【０００１】
本発明は、ネックレスなどの端部同士を連結する装身具用連結部品及びネックレスなどの装身具に関する。
【背景技術】
【０００２】
従来のネックレスの一方側と他方側を連結する装身具用連結部品として、装身具の両端にそれぞれ設ける一対の連結体２，３からなり、両連結体の対向する連結面６，１２が、永久磁石９、１５の磁力によって連結される構成にした装身具用止め金具１であって、一方の連結体２の連結面６の中央部付近に、断面が円形の中心凸部と、この中心凸部の外側に設けた位置決め凸部７、位置決め凹部８とを備え、他方の連結体３の連結面１２に、上記連結体２に設けた中心凸部または中心凹部に一致する中心凹部または凸部と、位置決め凸部７、位置決め凹部８に一致する位置決め凹部１４、位置決め凸部１３とを備え、上記位置決め凸部７，１３および位置決め凹部８，１４が、中心凸部の中心Ｏを中心とする円弧に沿った弓形であり、その両端部に上記連結面に連続する斜面７ａ，７ｂ、８ａ，８ｂ、１３ａ，１３ｂ、１４ａ，１４ｂを有する装身具用連結部品が知られている。（例えば、特許文献１。符号は特許文献１のもの。）
【先行技術文献】
【特許文献】
【０００３】
【特許文献１】特開２００７−１４３８１０号公報
【発明の概要】
【発明が解決しようとする課題】
【０００４】
（１）  上述した特許文献１の技術は、永久磁石９、１５の磁力によって接合する面である、連結体２の連結面６と連結体３の連結面１２はそれぞれ平坦面であり、連結体２は平坦面である連結面５に位置決め凸部７と位置決め凹部８を設け、連結体３は平坦面である連結面１２に位置決め凸部１３と位置決め凹部１４を設けた形態であるので、平坦面と位置決め凸部８及び位置決め凸部１３とは、回し動かしを行った状態は、平坦面が位置決め凸部８及び位置決め凸部１３に乗り上げる乗り上げ動作となるものであるから、乗り上げるときに、引っ掛かり抵抗と乗り上げ抵抗が生じてしまい、回し動作がスムーズにできないという欠点を有するものであった。
（２）  また、接続部１１、１１の外横方向への引張力に抗して連結体２，３の連結を維持する仕組みは、筒部材２ｃから突出した突出し形態の永久磁石９の突出し部分が、筒部材３ｃ内に埋没形態で永久磁石１５を収めることで形成した筒部材３ｃの上凹部に嵌り込み引っ掛かり形態によって実現されているものであるから、永久磁石９の突出し部分が、筒部材３ｃの上凹部から完全に脱出しなければ、連結体２，３を分離できないという欠点を有するものであった。
（３）  また前記（２）によって、永久磁石９、１５の寸法が異なり共通化できないので、部品点数が多くなる、制作作業コストが高くなる、また、連結体２と連結体３を永久磁石９、１５をセットし射出成型等でプラスチック部品とする場合は金型がそれぞれ必要になるか、金型の構造及び永久磁石９、１５を分けてセットする必要があるので、金型が複雑な構成になるという欠点があった。
【０００５】
本発明は以上のような従来技術の欠点に鑑み、連結を解除するための回し動きが引っ掛かり無く行える装身具用連結部品及び装身具を提供することを目的としている。
また、連結を解除するための回し動きが引っ掛かり無く行え、且つ、左右方向引き離し力では容易に連結を解除できない装身具用連結部品及び装身具を提供することを目的としている。
また、重ね連結される第１の連結部品と第２の連結部品が同一部品である装身具用連結部品及び装身具を提供することを目的としている。
【課題を解決するための手段】
【０００６】
上記目的を達成するために、本発明は次のような構成している。
［請求項１記載の発明］
磁石の磁力による接合連結状態である磁力連結状態で連結される第１の連結部品（１）と第２の連結部品（２）とからなる連結部品（３）であって、
前記第１の連結部品（１）は、
第１の連結部品本体（４）と、
前記第１の連結部品本体（４）の内側に設けられた第１の磁石設け部（５）と、
前記第１の磁石設け部（５）にＮ極を表側にして設けられた第１の磁石（６）と、
前記第１の磁石設け部（５）の外側に設けられた、円弧凹形態でかつ底部面が下り傾斜形態の第１の下り傾斜円弧凹部（７）と、
前記第１の磁石設け部（５）の外側で前記第１の下り傾斜円弧凹部（７）の対向側に設けられた、円弧凸形態でかつ上部面が上り傾斜形態である第１の上り傾斜円弧凸部（８）と、を備え、
前記第２の連結部品（２）は、
第２の連結部品本体（１９）と、
前記第２の連結部品（２）本体の内側に設けられた第２の磁石設け部（２０）と、
前記第２の磁石設け部（２０）にＳ極を表側にして設けられた第２の磁石（２１）と、
前記第２の磁石設け部（２０）の外側に設けられた、円弧凹形態でかつ底部面が下り傾斜形態の第２の下り傾斜円弧凹部（２２）と、
前記第２の磁石設け部（２０）の外側で前記第２の下り傾斜円弧凹部（２２）の対向側に設けられた、円弧凸形態でかつ上部面が上り傾斜形態である第２の上り傾斜円弧凸部（２３）と、を備え、
前記第１の連結部品（１）と前記第２の連結部品（２）の磁力連結状態は、前記第１の磁石（６）と前記第２の磁石（２１）の磁力連結によってなされ、
前記磁力連結状態では、前記第１の上り傾斜円弧凸部（８）は前記第２の下り傾斜円弧凹部（２２）に嵌り形態となり、前記第２の上り傾斜円弧凸部（２３）は前記第１の下り傾斜円弧凹部（７）に嵌り形態となり、
前記磁力連結状態で、前記第１の連結部品（１）と前記第２の連結部品（２）のそれぞれを反対方向に回し動かすと又はいずれか一方を回し動かすと、前記第１の上り傾斜円弧凸部（８）の上り傾斜面が前記第２の下り傾斜円弧凹部（２２）の下り傾斜面を登り移動し、且つ、前記第２の上り傾斜円弧凸部（２３）の上り傾斜面が前記第１の下り傾斜円弧凹部（７）の下り傾斜面を登り移動して、前記第１の磁石（６）と前記第２の磁石（２１）が離れ移動して前記磁力連結が解除され、前記磁力連結の解除によって前記第１の連結部品（１）と前記第２の連結部品（２）が分離できる、
以上のように構成された装身具用連結部品である。
である。
【０００７】
［請求項２記載の発明］
前記第１の下り傾斜円弧凹部（７）の下り傾斜面と前記第１の上り傾斜円弧凸部（８）の上り傾斜面の連絡形態は水平面、段差、凹部、凸部などの無い連絡形態であり、
前記第２の下り傾斜円弧凹部（２２）の下り傾斜面と前記第２の上り傾斜円弧凸部（２３）の上り傾斜面の連絡形態は水平面、段差、凹部、凸部などの無い連絡形態である請求項１記載の装身具用連結部品である。
【０００８】
［請求項３記載の発明］
前記磁力連結状態の前記第１の連結部品（１）と前記第２の連結部品（２）を回し動きさせた場合に、前記第２の下り傾斜円弧凹部（２２）と前記第１の上り傾斜円弧凸部（８）との間で引っ掛かりが生じないように、それぞれの角が湾曲角形態とされ、かつ、前記第１の上り傾斜円弧凸部（８）の内側壁面の一部ないし略全部が略垂直の垂直壁面部位（２６）とされ、前記第２の下り傾斜円弧凹部（２２）の内側壁面の一部ないし略全部が略垂直の垂直壁面部位（２７）とされ、又は、前記磁力連結状態の前記第１の連結部品（１）と前記第２の連結部品（２）を回し動きさせた場合に、前記第１の下り傾斜円弧凹部（７）と前記第２の上り傾斜円弧凸部（２３）との間で引っ掛かりが生じないように、それぞれの角が湾曲角形態とされ、かつ、前記第２の上り傾斜円弧凸部（２３）の内側壁面の一部ないし略全部が略垂直の垂直壁面部位（３４）とされ、前記第１の下り傾斜円弧凹部（７）の内側壁面の一部ないし略全部が略垂直の垂直壁面部位（３５）とされ、
前記左右方向引き離し力（２５）、（２５）に対して、前記垂直壁面部位（２６）と前記垂直壁面部位（２７）が当たり引っ掛かって抗する形態であり、又は、前記垂直壁面部位（３４）と前記垂直壁面部位（３５）が当たり引っ掛かって抗する形態であり、
以上のように構成された請求項１又は２記載の装身具用連結部品である。
【０００９】
［請求項４記載の発明］
前記第１の連結部品本体（４）にネックレス、ブレスレットなどの装身具本体（４０）の一方側を取り付ける第１の取付け部（３１）が設けられ、前記第２の連結部品本体（１９）に前記装身具本体（４０）の他方側を取り付ける第２の取付け部（３２）が設けられ、前記第１の取付け部（３１）と前記第２の取付け部（３２）の長さが、前記第１の連結部品本体（４）及び前記第２の連結部品（２）本体の最大幅の２／３よりも長い形態である請求項１、２又は３記載の装身具用連結部品である。
である。
【００１０】
［請求項５記載の発明］
前記第１の連結部品（１）と前記第２の連結部品（２）は、前記第１の磁石（６）及び前記第２の磁石（２１）も含めて、同一寸法の同一形態の同一部品である請求項１〜４又は５記載の装身具用連結部品である。
【００１１】
［請求項６記載の発明］
前記第１の下り傾斜円弧凹部（７）の下り傾斜角度が５度〜６０度であり、
前記第１の上り傾斜円弧凸部（８）の上り傾斜角度が５度〜６０度であり、
前記第１の下り傾斜円弧凹部（７）の前記下り傾斜角度と前記第１の上り傾斜円弧凸部（８）の前記上り傾斜角度の角度差が２０度以下であり、
前記第２の下り傾斜円弧凹部（２２）の下り傾斜角度が５度〜６０度であり、
前記第２の上り傾斜円弧凸部（２３）の上り傾斜角度が５度〜６０度であり、
前記第２の下り傾斜円弧凹部（２２）の前記下り傾斜角度と前記第２の上り傾斜円弧凸部（２３）の前記上り傾斜角度の角度差が２０度以下である、
以上のように構成された請求項１〜４又は５記載の装身具用連結部品である。
【００１２】
［請求項７記載の発明］
前記第２の下り傾斜円弧凹部（２２）の前記下り傾斜角度と前記第２の上り傾斜円弧凸部（２３）の前記上り傾斜角度の角度差が５度以下である、
以上のように構成された請求項１〜４又は５記載の装身具用連結部品である。
【００１３】
［請求項８記載の発明］
前記第１の磁石（６）、前記第２の磁石（２１）のいずれか一方が磁石ではない鉄製部材などの磁石につく性質の部材である強磁性部材であることを特徴とする請求項１〜６又は７記載の装身具用連結部品である。
【００１４】
［請求項９記載の発明］
ネックレス、ブレスレットなどの連結式装身具の装身具本体（４０）に前記請求項１〜６又は７記載の装身具用連結部品を設けてなる連結式装身具である。
【発明の効果】
【００１５】
以上の説明から明らかなように、本発明にあっては次に列挙する効果が得られる。
［請求項１記載の発明の効果］
前記磁力連結状態で、前記第１の連結部品（１）と前記第２の連結部品（２）のそれぞれを反対方向に回し動かすと又はいずれか一方を回し動かすと、前記第１の上り傾斜円弧凸部（８）の上り傾斜面が前記第２の下り傾斜円弧凹部（２２）の下り傾斜面を登り移動し、且つ、前記第２の上り傾斜円弧凸部（２３）の上り傾斜面が前記第１の下り傾斜円弧凹部（７）の下り傾斜面を登り移動して、前記第１の磁石（６）と前記第２の磁石（２１）が離れ移動して前記磁力連結が解除され、前記磁力連結の解除によって前記第１の連結部品（１）と前記第２の連結部品（２）が分離できるという作用効果を奏する。
【００１６】
［請求項２記載の発明の効果］
上り傾斜面と下り傾斜面の連絡部位が殆ど段差の連絡形態であるので前記請求項１記載の発明と同様な効果を奏する。
【００１７】
［請求項３記載の発明の効果］
前記請求項１又は２記載の発明と同様な効果を奏するとともに、第２の下り傾斜円弧凹部（２２）と第１の上り傾斜円弧凸部（８）との間で引っ掛かりが生じないように、それぞれの角が湾曲角形態とされているので、磁力連結状態の第１の連結部品（１）と第２の連結部品（２）を回し動きさせた場合、面同士が接し押し合うような状態が生じても相手面を押し退ける形態となるので、より抵抗すくなく第１の連結部品（１）と第２の連結部品（２）とを離し分離できるという作用効果を奏する。
また、第２の上り傾斜円弧凸部（２３）の内側壁面に垂直壁面部位（３４）を設け、第１の下り傾斜円弧凹部（７）の内側壁面に垂直壁面部位（３５）を設け、左右方向引き離し力（２５）、（２５）に対して、垂直壁面部位（２６）と垂直壁面部位（２７）が当たり引っ掛かって抗する形態であり、又は、垂直壁面部位（３４）と垂直壁面部位（３５）が当たり引っ掛かって抗する形態であるので、左右方向引き離し力（２５）、（２５）によっては引き離せない強固な連結を実現するという作用効果を奏する。
【００１８】
［請求項４記載の発明の効果］
前記請求項１、２又は３記載の発明と同様な効果を奏するとともに、第１の連結部品本体（４）に設けた第１の取付け部（３１）の長さと、第２の連結部品本体（１９）に設けた第２の取付け部（３２）の長さとが、第１の連結部品本体（４）及び第２の連結部品本体（１９）の最大幅の２／３よりも長い形態であるので、一方の手の指を連結状態にある第１の連結部品本体（４）の側面（３７）と第２の連結部品本体（１９）の側面（３８）に当てた指側面当て状態で、他方の手で装身具本体（４０）を前方に引く操作ないし押す操作を行うことで、梃の原理と指幅に邪魔されないで回り動作を生じさせ易い、または、一方の手の人差指と中指で連結状態にある第１の連結部品本体（４）の表面（１６）と第２の連結部品本体（１９）の表面（１７）を軽く摘まんだ摘み状態で、他方の手で装身具本体（４０）を前方に引く操作ないし押す操作を行うことで、梃の原理で回り動作を生じさせ易いという作用効果を奏する。
また、第１の連結部品本体（４）の表面（１６）、第２の連結部品本体（１９）の表面（１７）のいずれかに指が当たった状態でも、装身具本体（４０）を前方に引く操作ないし押す操作を行うと、当たっている指を支点に第１の取付け部（３１）と第２の取付け部（３２）がそれぞれ下方に引かれ動いて、第１の連結部品（１）と第２の連結部品（２）は傾き離れ状態となって分離する、分形態を容易にするという作用効果を奏する。
【００１９】
［請求項５記載の発明の効果］
請求項１〜３又は４記載の発明と同様な効果を奏するとともに、第１の連結部品（１）と第２の連結部品（２）は、第１の磁石（６）及び第２の磁石（２１）も含めて、同一寸法の同一形態の同一部品であるので、１種類の部品のみ製造すればよいので、生産コスト、管理コスト、梱包コストなどの経費を低コストにでき、金型による製造では１つの金型でよいという作用効果を奏する。
【００２０】
［請求項６記載の発明の効果］
請求項１〜４又は５記載の発明と同様な効果を奏する。
【００２１】
［請求項７記載の発明の効果］
請求項１〜４又は５記載の発明と同様な効果を奏するとともに、第２の下り傾斜円弧凹部（２２）の下り傾斜角度と第２の上り傾斜円弧凸部（２３）の上り傾斜角度の角度差が５度以下と小さいので、第１の連結部品（１）、第２の連結部品（２）の回し動かしが引っ掛かり抵抗少なく行えるという効果を奏する。
【００２２】
［請求項８記載の発明の効果］
請求項１〜６又は７記載の発明と同様な効果を奏する。
【００２３】
［請求項９記載の発明の効果］
前記請求項１〜７又は８記載の発明と同様な効果を奏する連結式装身具を実現している。
【図面の簡単な説明】
【００２４】
【図１】本発明の実施例１の装身具の正面図。
【図２】本発明の実施例１の第１の連結部品と第２の連結部品を示す斜視図。
【図３】本発明の実施例１の第１の連結部品と第２の連結部品を示す平面図。
【図４】本発明の実施例１の非連結状態の断面図（上図）及び連結状態の断面図（下図）
【図５】本発明の実施例２を示す斜視図。
【図６】本発明の実施例３の非連結状態の断面図。
【図７】本発明の実施例４の非連結状態の断面図。
【発明を実施するための形態】
【００２５】
以下、本発明を実施するための最良の形態である実施例について説明する。但し、本発明をこれら実施例のみに限定する趣旨のものではない。また、後述する実施例の説明に当って、前述した実施例の同一構成部分には同一符号を付して重複する説明を省略する。
【実施例１】
【００２６】
図１〜図４に示す本発明の実施例１において、装身具用連結部品３は磁石の磁力による接合連結状態である磁力連結状態で連結される第１の連結部品１と第２の連結部品２とからなる連結部品である。磁力連結には、磁石同士が磁力により接触接合する形態、磁石同士が磁力により該磁石同士の間に隙間が形成される非接触形態などがある。
【００２７】
図２、図３は第１の連結部品１と第２の連結部品２を示す斜視図と平面である。非カッコ符号は連結部品１の符号であり、カッコ符号は連結部品２の符号である。
【００２８】
第１の連結部品１は、
第１の連結部品本体４と、
第１の連結部品本体４の内側に設けられた円形有底穴形態の第１の磁石設け部５と、
第１の磁石設け部５にＮ極を表側にして設けられた（ここでは接着剤により接着）円盤形態又は円柱形態の第１の磁石６と、
第１の磁石設け部５の外側に設けられた、円弧凹形態でかつ底部面が下り傾斜形態の第１の下り傾斜円弧凹部７と、
第１の磁石設け部５の外側で第１の下り傾斜円弧凹部７の対向側に設けられた、円弧凸形態でかつ上部面が上り傾斜形態で、その凸幅が第１の下り傾斜円弧凹部７の凹幅より狭い幅である第１の上り傾斜円弧凸部８と、を備えた構成となってる。
【００２９】
第１の下り傾斜円弧凹部７の下り傾斜角度と第１の上り傾斜円弧凸部８の上り傾斜角度が略同傾斜角度（ここでは≒３０度）であるとともに、第１の下り傾斜円弧凹部７の底部面と第１の上り傾斜円弧凸部８の上部面の連絡部位は殆ど略段差の無い滑らかな連絡形態である。
【００３０】
第２の連結部品２は、
第２の連結部品本体１９と、
第２の連結部品２本体の内側に設けられた円形有底有底穴形態の第２の磁石設け部２０と、
第２の磁石設け部２０にＳ極を表側にして設けられた（ここでは接着剤により接着）円盤形態又は円柱形態の第２の磁石２１と、
第２の磁石設け部２０の外側に設けられた、円弧凹形態でかつ底部面が下り傾斜形態の第２の下り傾斜円弧凹部２２と、
第２の磁石設け部２０の外側で第２の下り傾斜円弧凹部２２の対向側に設けられた、円弧凸形態でかつ上部面が上り傾斜形態で、その凸幅が第２の下り傾斜円弧凹部２２の凹幅より狭い幅である第２の上り傾斜円弧凸部２３と、を備えてた構成となっている。
【００３１】
第２の下り傾斜円弧凹部２２の下り傾斜角度と第２の上り傾斜円弧凸部２３の上り傾斜角度が略同傾斜角度（ここでは≒３０度）であるとともに、第２の下り傾斜円弧凹部２２の底部面と第２の上り傾斜円弧凸部２３上部面の連絡部位は殆ど水平面、段差、凹、凸の無い滑らかな連絡形態である。
第２の下り傾斜円弧凹部２２の底部面と第２の上り傾斜円弧凸部２３上部面の連絡部位に水平面、段差、凹、凸などが設けられる形態もよい。
【００３２】
第１の下り傾斜円弧凹部７の下り傾斜角度は５度〜６０度の範囲とするのがよく、好ましくは５度〜５０度の範囲、より好ましくは１０度〜５０度の範囲、さらに好ましくは２０度〜４０度の範囲、最も好ましくは２５度〜３５度の範囲とするのがよい。
第１の上り傾斜円弧凸部８の上り傾斜角度は５度〜６０度の範囲とするのがよく、好ましくは５度〜５０度の範囲、より好ましくは１０度〜５０度の範囲、さらに好ましくは２０度〜４０度の範囲、最も好ましくは２５度〜３５度の範囲とするのがよい。
第１の下り傾斜円弧凹部７の下り傾斜角度と第１の上り傾斜円弧凸部８の上り傾斜角度の角度差は２０度以下とするのがよく、好ましくは１５度以下、より好ましくは１０度以下、さらに好ましくは５度以下、最も好ましくは３度以下とするのがよい。
第２の下り傾斜円弧凹部２２の下り傾斜角度は５度〜６０度とするのがよく、好ましくは５度〜５０度の範囲、より好ましくは１０度〜５０度の範囲、さらに好ましくは２０度〜４０度の範囲、最も好ましくは２５度〜３５度の範囲とするのがよい。
第２の上り傾斜円弧凸部２３の上り傾斜角度は５度〜６０度とするのがよく、好ましくは５度〜５０度の範囲、より好ましくは１０度〜５０度の範囲、さらに好ましくは２０度〜４０度の範囲、最も好ましくは２５度〜３５度の範囲とするのがよい。
第２の下り傾斜円弧凹部２２の下り傾斜角度と第２の上り傾斜円弧凸部２３の上り傾斜角度の角度差は２０度以下とするのがよく、好ましくは１５度以下、より好ましくは１０度以下、さらに好ましくは５度以下、最も好ましくは３度以下とするのがよい。
【００３３】
第１の磁石６、第２の磁石２１のいずれか一方が磁石ではない鉄製部材などの磁石につく性質の部材である強磁性部材とするのもよい。
【００３４】
第１の下り傾斜円弧凹部７の略中央と第１の上り傾斜円弧凸部８の略中央とは、円周１０上に位置している。
第２の下り傾斜円弧凹部２２の略中央と第２の上り傾斜円弧凸部２３の略中央とは、円周（１０）と同径で中心１４を円周１０の中心１３と同じ位置とする円周１１上に位置している。（図３参照）
【００３５】
第１の連結部品１と第２の連結部品２の磁力連結状態（図４の下図参照。）は、第１の磁石６と第２の磁石２１の磁力連結によってなされる。
磁力連結状態では、第１の上り傾斜円弧凸部８は第２の下り傾斜円弧凹部２２に嵌り形態となり、第２の上り傾斜円弧凸部２３は第１の下り傾斜円弧凹部７に嵌り形態となる。
第２の下り傾斜円弧凹部２２の凹幅が第１の上り傾斜円弧凸部８の凸幅より幅広形態であり、かつ、該幅広形態が磁力連結状態の第１の連結部品１と第２の連結部品２を回し動きさせた場合に、第２の下り傾斜円弧凹部２２の側面と第１の上り傾斜円弧凸部８の側面が強く当ることが生じない隙間が形成される幅広形態である。
磁力連結状態では、第２の上り傾斜円弧凸部２３は第１の下り傾斜円弧凹部７に嵌り形態となり、第１の上り傾斜円弧凸部８は第２の下り傾斜円弧凹部２２に嵌り形態となる。
第１の下り傾斜円弧凹部７の凹幅が第２の上り傾斜円弧凸部２３の凸幅より幅広形態であり、かつ、該幅広形態が磁力連結状態の第１の連結部品１と第２の連結部品２を回し動きさせた場合に、第１の下り傾斜円弧凹部７の側面と第２の上り傾斜円弧凸部２３の側面が強くることが生じない隙間が形成される幅広形態である。
【００３６】
本実施例において、第１の連結部品本体４と第２の連結部品本体１９は連結面は円形であり、その直径は５．８ｍｍ、第１の下り傾斜円弧凹部７と第２の下り傾斜円弧凹部２２の溝幅は１．２ｍｍ、第１の上り傾斜円弧凸部８と第２の上り傾斜円弧凸部２３の溝幅は１．０ｍｍである。（図３参照）
【００３７】
磁力連結状態の第１の連結部品１と第２の連結部品２を回し動きさせた場合に、第２の下り傾斜円弧凹部２２と前記第１の上り傾斜円弧凸部８との間で引っ掛かりが生じないように、それぞれの角が湾曲角形態とされ、かつ、前記第１の上り傾斜円弧凸部８の内側壁面の一部ないし略全部が略垂直の垂直壁面部位２６とされ、第２の下り傾斜円弧凹部２２の内側壁面の一部ないし略全部が略垂直の垂直壁面部位２７とされている。
左右方向引き離し力２５、２５に対して、垂直壁面部位２６と前記垂直壁面部位２７が当たり引っ掛かって抗する形態を形成している。
【００３８】
磁力連結状態の第１の連結部品１と第２の連結部品２を回し動きさせた場合に、第１の下り傾斜円弧凹部７と第２の上り傾斜円弧凸部２３との間で引っ掛かりが生じないように、それぞれの角が湾曲角形態とされ、かつ、第２の上り傾斜円弧凸部２３の内側壁面の一部ないし略全部が略垂直の垂直壁面部位３４とされ、第１の下り傾斜円弧凹部７の内側壁面の一部ないし略全部が略垂直の垂直壁面部位３５とされている。
前記垂直壁面部位３４と前記垂直壁面部位３５が当たり引っ掛かって抗する形態である。
【００３９】
第１の連結部品１と第２の連結部品２は、第１の磁石６及び第２の磁石２１も含めて、同一寸法の同一形態である。
よって、例えば、金型でプラスチック製部材で成型する場合の金型は１つでよい。
【００４０】
連結状態にある第１の連結部品１と第２の連結部品２の分離操作は以下のように行う。
一方の手の指を第１の連結部品本体４の側面３７と第２の連結部品本体１９の側面３８に当てた指側面当て状態で、他方の手で装身具本体４０を前方に引く操作ないし押す操作を行うことで、第１の連結部品１と第２の連結部品２を同方向に回し動かすことで、第１の連結部品１と第２の連結部品２は引っ掛かり抵抗を生じることなく回り動き、回りが進むにつれてその傾斜面によって第１の連結部品１と第２の連結部品２は引っ掛かりなく滑らかに離れて行き、分離する。
【００４１】
この引っ掛かり無く滑らかに離れて行く回り動作は、（１）第１の下り傾斜円弧凹部７の下り傾斜角度と第１の上り傾斜円弧凸部８の上り傾斜角度が略同傾斜角度であり、（２）第２の下り傾斜円弧凹部２２の下り傾斜角度と第２の上り傾斜円弧凸部２３の上り傾斜角度が略同傾斜角度であり、（３）第１の下り傾斜円弧凹部７の略中央と第１の上り傾斜円弧凸部８の略中央とは、円周１０上に位置しており、（４）第２の下り傾斜円弧凹部２２の略中央と前記第２の上り傾斜円弧凸部２３の略中央とは、円周１０と同径で中心１４を円周１０の中心１３と同じ位置とする円周１１上に位置している、という前記（１）〜（４）の構成によって実現しているものである。
【００４２】
一方の手の人差指と中指で第１の連結部品本体４の表面１６と第２の連結部品本体１９の表面１７を軽く摘まんだ摘み状態で、他方の手で装身具本体４０を前方に引く操作ないし押す操作を行うことで、第１の連結部品１と第２の連結部品２は引っ掛かり抵抗を生じることなく回り動き、回りが進むにつれてその傾斜面によって第１の連結部品１と第２の連結部品２は引っ掛かりなく滑らかに離れて行き、分離する。
【００４３】
磁力連結状態で、第１の連結部品１と第２の連結部品２のそれぞれを反対方向に回し動かすと又はいずれか一方を回し動かすと、第１の上り傾斜円弧凸部８の上り傾斜面が前記第２の下り傾斜円弧凹部２２の下り傾斜面を登り移動し、且つ、第２の上り傾斜円弧凸部２３の上り傾斜面が第１の下り傾斜円弧凹部７の下り傾斜面を登り移動して、第１の磁石（６）と第２の磁石（２１）が離れ移動して磁力連結が解除され、磁力連結の解除によって第１の連結部品１と第２の連結部品２が分離される。
【００４４】
装身具３９は、ネックレスなどの装身具本体４０と、装身具本体４０の一方側に設けられた第１の連結部品１と、装身具本体４０の他方側に設けられた第２の連結部品２とを備えた構成となっている。（図１参照）
【実施例２】
【００４５】
図５に示す本発明の実施例２において、前記実施例１と主に異なる点は、前記第１の連結部品本体４にネックレスなどの装身具本体４０の一方側を取り付ける第１の取付け部３１を設けた第１の連結部品４２を形成し、第２の連結部品本体１９に装身具本体４０の他方側を取り付ける第２の取付け部３２を設けた第２の連結部品４３を形成し、第１の連結部品４２と第２の連結部品４３からなる装身具用連結部品４４を形成し、第１の取付け部３１と第２の取付け部３２の長さが、第１の連結部品本体４及び第２の連結部品２本体よりも長い形態とした点にある。
第１の取付け部３１の長さと第２の取付け部３２の長さとが、第１の連結部品本体４及び第２の連結部品本体１９よりも長い形態であるので、一方の手の指を連結状態にある第１の連結部品本体４の側面３７と第２の連結部品本体１９の側面３８に当てた指側面当て状態で、他方の手で装身具本体４０を前方に引く操作ないし押す操作を行うことで、梃の原理と指幅に邪魔されないで回り動作を生じさせ易い、または、一方の手の人差指と中指で連結状態にある第１の連結部品本体４の表面１６と第２の連結部品本体１９の表面１７を軽く摘まんだ摘み状態で、他方の手で装身具本体４０を前方に引く操作ないし押す操作を行うことで、梃の原理で回り動作を生じさせ易い形態を実現する。
また、第１の連結部品本体４の表面１６、第２の連結部品本体１９の表面１７のいずれかに指が当たった状態でも、装身具本体４０を前方に引く操作ないし押す操作を行うと、当たっている指を支点に第１の取付け部３１と第２の取付け部３２がそれぞれ下方に引かれ動いて、第１の連結部品１と第２の連結部品２は傾き離れ状態となって分離する、分形態を容易にする。
【実施例３】
【００４６】
図６に示す本発明の実施例３において、前記実施例１と主に異なる点は、第１の磁石設け部を貫通穴形態の第１の磁石設け部４５とし、第１の磁石６の第１の連結部品本体４の外側に位置する部位に装飾部材４６を設け、第２の磁石設け部を貫通穴形態の第２の磁石設け部４７とし、第２の磁石２１に替えて磁石ではない鉄製部材などの磁石につく性質の部材である強磁性部材４８とし、強磁性部材４８の第２の連結部品本体１９の外側に位置する部位に装飾部材４９を設けた装身具用連結部品５０を形成した点にある。
【実施例４】
【００４７】
図７に示す本発明の実施例４において、前記実施例３と主に異なる点は、ア）第１の連結部品１の第１の磁石設け部を、その穴壁と垂直壁面部位２６が連続する同一壁面を形成する形態とし、且つ、垂直壁面部位３５が無い形態とした第１の磁石設け部５５とし、第１の磁石設け部５５に嵌め設けられた磁石を第１の磁石５６とし、第１の磁石５６の第１の下り傾斜円弧凹部７に露出した面を垂直壁面部位３４に当たる垂直壁面部位５７とし、
イ）第２の連結部品２の第２の磁石設け部を、その穴壁と垂直壁面部位３４が連続する同一壁面を形成する形態とし、且つ、垂直壁面部位２７が無い形態とした第２の磁石設け部５８とし、第２の磁石設け部５８に嵌め設けられた磁石を第２の磁石５９とし、第２磁石５９の第２の下り傾斜円弧凹部２２に露出した面を垂直壁面部位２６に当たる垂直壁面部位６０とし、
以上のように形成された装身具用連結部品６１を形成した点にある。
【００４８】
第１の磁石設け部５５及び第２の磁石設け部５８を幅広穴（止まり穴形態も同様）形態となるのでそれだけ磁石の幅を大きいものにでき、磁石面積を広げることができる。また、磁石が同じ大きさであるなら、第１の磁石設け部５５及び第２の磁石設け部５８を小さくでき、その分だけ小さくした第１の連結部品１及び第２の連結部品２とすることが可能であり、小型化を実現する。
【産業上の利用可能性】
【００４９】
本発明は、装身具を製造販売する産業で利用される。
【符号の説明】
【００５０】
１：第１の連結部品、
２：第２の連結部品、
３：装身具用連結部品、
４：第１の連結部品本体、
５：第１の磁石設け部、
６：第１の磁石、
７：第１の下り傾斜円弧凹部、
８：第１の上り傾斜円弧凸部、
１０：円周、
１１：円周、
１３：中心、
１４：中心、
１６：表面、
１７：表面、
１９：第２の連結部品本体、
２０：第２の磁石設け部、
２１：第２の磁石、
２２：第２の下り傾斜円弧凹部、
２３：第２の上り傾斜円弧凸部、
２５、２５：左右方向引き離し力、
２６：垂直壁面部位、
２７：垂直壁面部位、
３１：第１の取付け部、
３２：第２の取付け部、
３４：垂直壁面部位、
３５：垂直壁面部位、
３７：側面、
３８：側面、
３９：装身具、
４０：装身具本体、
４１：装身具用連結部品、
４２：第１の連結部品、
４３：第２の連結部品、
４５：第１の磁石設け部、
４６：装飾部材、
４７：第２の磁石設け部、
４８：強磁性部材、
４９：装飾部材、
５０：装身具用連結部品、
５５：第１の磁石設け部、
５６：第１の磁石、
５７：垂直壁面部位、
５８：第２の磁石設け部、
５９：第２の磁石、
６０：垂直壁面部位、
６１：装身具用連結部品。
【図１】
2020195570.tif 000003
【図２】
2020195570.tif 000004
【図３】
2020195570.tif 000005
【図４】
2020195570.tif 000006
【図５】
2020195570.tif 000007
【図６】
2020195570.tif 000008
【図７】
2020195570.tif 000009